(57)【要約】【課題】パーキングギヤに荷重がかかった状態でもアンロック状態にできるものでありながら、シリンダ内に供給する油の量を少なくすることが可能な油圧ピストン装置を有する車輌用パーキング装置を提供する。【解決手段】パーキング装置１は、パーキングギヤが噛合する方向にパーキングロッド７を付勢するねじりコイルスプリング１１と、回動レバー１０に連結されるピストン２１、供給される油圧によりねじりコイルスプリング１１の付勢力に抗して該回動レバー１０を回動駆動する方向に該ピストン２１を駆動する第１油室２０ａ、供給される油圧により該第１油室２０ａと同方向に該ピストン２１を駆動する第２油室２０ｂ、を有する油圧ピストン装置２０と、を備えている。該第２油室２０ｂは、ピストン２１がパーキング状態から所定距離移動される間だけ油圧が供給されるように構成されている。【選択図】図２
2010223328.tif 000002
【特許請求の範囲】
【請求項１】
変速機内の回転軸に連結されるパーキングギヤと、前記パーキングギヤの歯間の凹部に係合または離脱される爪を有するパーキングポールと、軸方向に移動されることで前記パーキングポールを前記パーキングギヤに押付けて前記爪を前記凹部に係合させ得るロック状態と前記パーキングポールを前記パーキングギヤから離隔させて前記凹部から前記爪を引き抜くアンロック状態とに切換えるパーキングロッドと、前記パーキングロッドに連結される回動レバーと、を備えた車輌用パーキング装置において、
前記パーキングポールを前記パーキングギヤに押付ける方向に前記パーキングロッドを付勢する付勢部材と、
前記ロック状態及び前記アンロック状態にて油圧が供給され得る第１油室と、前記ロック状態にて油圧が供給され得ると共に前記アンロック状態にて油圧が排出される第２油室と、前記回動レバーに連結され前記第１油室及び前記第２油室に供給された油圧に基づき前記アンロック状態となる方向に該回動レバーを駆動する油圧ピストンと、を有する油圧ピストン装置と、を備えてなる、
ことを特徴とする車輌用パーキング装置。
【請求項２】
前記油圧ピストン装置は、側壁と、小径な小径中空部と、該小径中空部よりも大径な大径中空部と、が連続的に形成されたシリンダ部材を有し、
前記油圧ピストンは、前記小径中空部に嵌合する小径ランド部と、前記大径中空部に嵌合する大径ランド部と、が形成されてなり、
前記第１油室は、前記シリンダ部材内における前記側壁と前記小径ランド部との間に形成され、
前記第２油室は、前記シリンダ部材内における前記小径ランド部と前記大径ランド部との間に形成されてなる、
請求項１記載の車輌用パーキング装置。
【請求項３】
前記シリンダ部材は、前記第１油室に油圧を供給し得る第１供給ポートと、前記第２油室に油圧を供給し得ると共に前記油圧ピストンが所定距離移動された際に前記小径ランド部に遮断される第２供給ポートと、前記大径ランド部により前記第２油室に対して遮断され得ると共に前記油圧ピストンが前記所定距離以上移動された際に前記大径ランド部に開放されて前記第２油室の油圧を排出する排出ポートと、を備えてなる、
請求項２記載の車輌用パーキング装置。
【発明の詳細な説明】
【技術分野】
【０００１】
本発明は、車輌に搭載される自動変速機等に用いられる車輌用パーキング装置に係り、詳しくは、軸方向に移動駆動されることでパーキングギヤの噛合を入切し得るパーキングロッドと、該パーキングロッドに連結される回動レバーと、を備え、該回動レバーを回動させることでパーキングギヤの噛合を入切し得る車輌用パーキング装置に関する。
【背景技術】
【０００２】
従来、車輌等に搭載される自動変速機には、駆動車輪に連動して回転するように構成された出力軸の回転を規制することにより、車輌をパーキング状態にするパーキング装置が備えられている。該パーキング装置は、上記出力軸に対して一体に設けられ、周方向に等間隔となるように複数のギヤ溝が形成されたパーキングギヤと、該ギヤ溝に噛合う爪部を有するパーキングポールと、該パーキングポールに隣接して配置されたサポートと、円錐形に形成され、パーキングポールとサポートとの間を挿脱することでパーキングポールを揺動させるカムと、該カムが嵌挿されたパーキングロッドと、該パーキングロッドに連結された回動レバーと、該回動レバーにロッドやワイヤ等で機械的に連結されたシフトレバーとを備えており、該シフトレバーを操作することにより、パーキング状態とパーキング解除状態とを切換えることができるように構成されている。
【０００３】
また、自動変速機のパーキング装置としては、回動レバーとシフトレバーとの間をロッドやワイヤ等で機械的に連結されているものの他、シフトレバーの操作を電気信号を介して伝達し、油圧ピストン装置を用いて回動レバーを駆動するように構成したものもある（例えば、特許文献１参照）。該パーキング装置は、スプリングを用いて回動レバーを付勢してパーキングギヤを噛合わせることでパーキング状態にし、油圧ピストン装置に油圧を供給することにより、スプリングの付勢力に反して回動レバーを駆動してパーキング解除状態にしている。
【先行技術文献】
【特許文献】
【０００４】
【特許文献１】特表２００２−５３３６３１号公報
【発明の概要】
【発明が解決しようとする課題】
【０００５】
ところで、例えば車輌が坂道で停車するなどして、パーキング装置のパーキングギヤに荷重がかかり、パーキングポールと強く噛合う場合、上記カムもパーキングポールとサポートとの間に強く挟持され、該カムが嵌挿されたパーキングロッドを引抜くことによりパーキング解除状態とするためには、該カムを挟持する力に打ち勝つ力でパーキングロッドを引抜く必要がある。つまり、上記特許文献１のパーキング装置を用いる場合、上記のようなカムを挟持する力に打ち勝つように油圧ピストン装置によって上記回動レバーを駆動しなくてはならない。
【０００６】
しかし、上記挟持する力に打ち勝つ力を発生し得るように油圧ピストン装置を構成すると、シリンダ内の体積が大きくなることで該シリンダに供給する油の量も多くなり、パーキング解除状態を維持する際にも消費する油の量が多くなってしまう。このため、パーキング解除時にライン圧の圧低の一因となってしまったり、油圧ピストン装置の応答性の悪化を招いたりするという問題があった。
【０００７】
そこで本発明は、パーキングギヤに荷重がかかった状態でもアンロック状態にできるものでありながら、シリンダ内に供給する油の量を少なくすることが可能な油圧ピストン装置を有する車輌用パーキング装置を提供することを目的とする。
【課題を解決するための手段】
【０００８】
請求項１に係る本発明は（例えば図１乃至図５参照）、変速機内の回転軸に連結されるパーキングギヤ（３）と、前記パーキングギヤ（３）の歯間の凹部に係合または離脱される爪（４ａ）を有するパーキングポール（４）と、軸方向に移動されることで前記パーキングポール（４）を前記パーキングギヤ（３）に押付けて前記爪（４ａ）を前記凹部に係合させ得るロック状態と前記パーキングポール（４）を前記パーキングギヤ（３）から離隔させて前記凹部から前記爪（４ａ）を引き抜くアンロック状態とに切換えるパーキングロッド（７）と、前記パーキングロッド（７）に連結される回動レバー（１０）と、を備えた車輌用パーキング装置（１）において、
前記パーキングポール（４）を前記パーキングギヤ（３）に押付ける方向に前記パーキングロッド（７）を付勢する付勢部材（１１）と、
前記ロック状態及び前記アンロック状態にて油圧が供給され得る第１油室（２０ａ）と、前記ロック状態にて油圧が供給され得ると共に前記アンロック状態にて油圧が排出される第２油室（２０ｂ）と、前記回動レバー（１０）に連結され前記第１油室（２０ａ）及び前記第２油室（２０ｂ）に供給された油圧に基づき前記アンロック状態となる方向に該回動レバーを駆動する油圧ピストン（２１）と、を有する油圧ピストン装置（２０）と、を備えてなる、
ことを特徴とする車輌用パーキング装置（１）にある。
【０００９】
請求項２に係る本発明は（例えば図２乃至図５参照）、前記油圧ピストン装置（２０）は、側壁（２２ｃ）と、小径な小径中空部（２２ａ）と、該小径中空部よりも大径な大径中空部（２２ｂ）と、が連続的に形成されたシリンダ部材（２２）を有し、
前記油圧ピストン（２１）は、前記小径中空部（２２ａ）に嵌合する小径ランド部（２１ａ）と、前記大径中空部（２２ｂ）に嵌合する大径ランド部（２１ｂ）と、が形成されてなり、
前記第１油室（２０ａ）は、前記シリンダ部材（２２）内における前記側壁（２２ｃ）と前記小径ランド部（２１ａ）との間に形成され、
前記第２油室（２０ｂ）は、前記シリンダ部材（２２）内における前記小径ランド部（２１ａ）と前記大径ランド部（２１ｂ）との間に形成されてなる、
請求項１記載の車輌用パーキング装置（１）にある。
【００１０】
請求項３に係る本発明は（例えば図２乃至図５参照）、前記シリンダ部材（２２）は、前記第１油室（２０ａ）に油圧を供給し得る第１供給ポート（２２ｄ）と、前記第２油室（２０ｂ）に油圧を供給し得ると共に前記油圧ピストン（２１）が所定距離移動された際に前記小径ランド部（２１ａ）に遮断される第２供給ポート（２２ｅ）と、前記大径ランド部（２１ｂ）により前記第２油室（２０ｂ）に対して遮断され得ると共に前記油圧ピストン（２１）が前記所定距離以上移動された際に前記大径ランド部（２１ｂ）に開放されて前記第２油室（２０ｂ）の油圧を排出する排出ポート（２２ｆ）と、を備えてなる、
請求項２記載の車輌用パーキング装置（１）にある。
【００１１】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１２】
請求項１に係る本発明によると、ロック状態の際には、第１油室及び第２油室に油圧を供給することによりアンロック状態となる方向に回動レバーを駆動し、アンロック状態の際には、第１油室に油圧を供給することにより該アンロック状態を維持するので、パーキングギヤに荷重がかかった状態でもアンロック状態にできる力を発生できるものでありながら、アンロック状態を維持する際には、油の供給を第１油室だけにすることができ、つまり付勢部材の付勢力に反して回動レバーを止めておけばよいだけの油の供給とすることができて、シリンダ内に供給する油の量を少なくすることができる。これにより、ライン圧の安定化を図ることができ、また油圧ピストン装置の応答性の向上を図ることができる。
【００１３】
請求項２に係る本発明によると、第２油室が大径中空部に嵌合する大径ランド部と小径中空部に嵌合する小径ランド部との間に形成されているので、大径ランド部と小径ランド部との受圧面積の差によって、油が供給された際にパーキングギヤに荷重がかかった状態でもアンロック状態にできる力を発生させることができる。
【００１４】
請求項３に係る本発明によると、所定距離以上移動された際に大径ランド部に開放されて第２油室の油圧を排出する排出ポートを備えているので、アンロック状態からロック状態にする際にも第２油室の油圧が抵抗となることがなく、油圧ピストン装置の応答性の向上を図ることができる。
【図面の簡単な説明】
【００１５】
【図１】本実施の形態に係るパーキング装置を示す模式図。
【図２】パーキング装置のパーキング状態を示す断面図。
【図３】第２供給ポートを遮断した状態を示す断面図。
【図４】排出ポートを開放した状態を示す断面図。
【図５】パーキング装置のパーキング解除状態を示す断面図。
【発明を実施するための形態】
【００１６】
以下、本発明に係る実施の形態を図１乃至図５に沿って説明する。
【００１７】
本発明に係るパーキング装置（車輌用パーキング装置）１は、図１乃至図５に示すように、車輌に搭載される自動変速機（例えば多段自動変速機や無段変速機（ＣＶＴ））に組み込まれて構成されている。該自動変速機は、運転者によってパーキング（Ｐ）レンジ、ニュートラル（Ｎ）レンジ、ドライブ（Ｄ）レンジ及びリバース（Ｒ）レンジ等が選択されるシフトレバー（不図示）からのシフト信号に基づいて制御部（不図示）が発信する制御信号に基づき、各ソレノイドバルブ等が制御されることによりシフトポジションの切換えや該シフトポジションに応じた変速が行われる、いわゆるシフトバイワイヤ方式によるものである。従ってシフトレバーによってレンジの選択を行うように説明したが、例えばボタン操作によってレンジの選択を行うように構成することもできる。
【００１８】
本発明に係るパーキング装置１は、自動変速機のシフトレバーのポジションがパーキング（Ｐ）レンジであるか、またはそれ以外のポジションであるかのシフト信号に基づく制御部からの制御信号に基づいて制御されるように構成されている。
【００１９】
上記パーキング装置１は、自動変速機のケースＣの内部に、該自動変速機の変速機構（不図示）を油圧制御するためのバルブボディ（油圧制御装置）１２に隣接して配置されており、パーキング機構２と、該パーキング機構２を駆動する油圧ピストン装置２０とによって構成されている。該パーキング機構２は、パーキングギヤ３、パーキングポール４、サポート５、カム６、パーキングロッド７、回動レバー１０等を備えて構成されている。該パーキングギヤ３は、図１に示すように、自動変速機の出力軸に対して一体に設けられており、外縁部分には周方向に等間隔となるように複数のギヤ溝が形成されている。
【００２０】
パーキングポール４は、基端側に設けられた揺動軸４ｂを中心に略々上下方向に揺動可能に配置されており、中間部分の上方側には、上記パーキングギヤ３のギヤ溝に噛合可能な爪部４ａが突設されている。サポート５は、上記パーキングポール４の先端側の下方に対向して配置されており、該パーキングポール４と対向する部分には互いに傾斜面を有してカム６を挿脱可能にしている。
【００２１】
該カム６は、先端部分が円錐状に形成され、上記パーキングポール４とサポート５との間への挿脱を容易にしていると共に、上記パーキングロッド７に摺動可能に、かつ所定位置より該パーキングロッド７の先端側への移動が規制されるように嵌挿されている。該パーキングロッド７は、基端側が上記回動レバー１０に連結され、先端側にカム６が嵌挿されており、また中間部分には突起部７ａが設けられ、該突起部７ａとカム６との間に、該カム６を先端側に付勢するようにコイルスプリング８が縮設されている。
【００２２】
回動レバー１０は、図２乃至図５に示すように、中間部分において上記ケースＣに対して固定された回動軸１０ｅを中心に回動可能に配置されており、該回動軸１０ｅ部分にねじりコイルスプリング（付勢部材）１１が配置され、上方側端部に連結されたパーキングロッド７を軸方向にパーキングギヤ３側に押し込む方向（つまり、図２乃至図５中の時計周り方向）に回動するように付勢されている。
【００２３】
また、回動レバー１０の回動軸１０ｅの下方におけるパーキングロッド７の延びる方向側には、パーキング装置１がパーキング解除状態（アンロック状態）の際に、詳しくは後述するケース部１３の先端部１３ａと当接する切位置当接部１０ｄが形成され、さらに下方における当接部１０ｄと反対側には、凸部１０ａが形成されている。該凸部１０ａが形成されている。該凸部１０ａには、パーキング装置１がパーキング状態（ロック状態）となった際に、上記バルブボディ１２の突出部１２ａに当接する入位置当接部１０ｂが設けられている。
【００２４】
さらに、回動レバー１０の下方側端部には、例えばインボリュート曲線に基づいた摺動面１０ｃが形成されており、該摺動面１０ｃは、回動レバー１０の回動位置に拘らず、後述するピストンロッド２１ｄに設けられたピン２１ｃからの駆動力が垂直に作用する曲面状に形成されている。
【００２５】
ケース部１３は、上記突出部１２ａに対して回動レバー１０とは反対側のバルブボディ１２に設けられており、先端部分（図２乃至図５中の左方側）には、パーキング装置１がパーキング解除状態となった際（図５参照）に、回動レバー１０の切位置当接部１０ｄと当接する先端部１３ａが設けられている。また、ケース部１３の上部には、詳しくは後述する油圧ピストン装置２０の第１油室２０ａ、第２油室２０ｂに油圧を供給するためのソレノイドバルブ１５が配置されている。
【００２６】
上記油圧ピストン装置２０は、図２乃至図５に示すように、ケース部１３内に固定されたシリンダ（シリンダ部材）２２と、該シリンダ２２に貫通・嵌合されたピストン（油圧ピストン）２１とによって構成されている。
【００２７】
シリンダ２２は、上方端面がケース部１３に固着するように配置されており、先端部分（図２乃至図５中の左方側）には側壁２２ｃが形成され、内部には内径がＤ１となる円筒状の小径中空部２２ａと、内径がＤ１よりも大径なＤ２となる円筒状の大径中空部２２ｂとが連続的に形成されている。また、シリンダ２２には、後述する第１油室２０ａに油圧を供給し得る第１供給ポート２２ｄと、後述する第２油室２０ｂに油圧を供給し得る第２供給ポート２２ｅと、第２油室２０ｂの油圧を排出し得る排出ポート２２ｆと、後述するピストン２１のピストンロッド２１ｄが貫通・嵌合する貫通孔２２ｈとが形成されている。さらに、シリンダ２２には、側壁２２ｃから第１油室２０ａとは反対側に延設され、上記ケース部１３の先端部１３ａと上記貫通孔２２ｈと仕切る仕切り部２２ｇが設けられている。
【００２８】
ピストン２１は、上記シリンダ２２の小径中空部２２ａに嵌合する小径ランド部２１ａと、大径中空部２２ｂに嵌合する大径中空部２２ｂに嵌合する大径ランド部２１ｂと、該小径ランド部２１ａから先端側に延設され、上記シリンダ２２の貫通孔２２ｈを貫通・嵌合するピストンロッド２１ｄとによって構成されている。これにより、シリンダ２２内における側壁２２ｃとピストン２１の小径ランド部２１ａとの間に第１油室２０ａが形成され、シリンダ２２内における小径ランド部２１ａと大径ランド部２１ｂとの間に第２油室２０ｂが形成される。
【００２９】
また、該ピストンロッド２１ｄの先端部には、ピン２１ｃが設けられており、該ピン２１ｃは、上記回動レバー１０の摺動面１０ｃに当接して配置されている。つまり、ピストン２１と上記回動レバー１０とは、上述のようにピン２１ｃと摺動面１０ｃとの間で、ねじりコイルスプリング１１の付勢力及び油圧ピストン装置２０の駆動力をそれぞれ伝達し得るように連結されている。
【００３０】
以上のように構成されたパーキング装置１は、上記シフトレバー（不図示）のシフトポジションがパーキング（Ｐ）レンジである場合には、該シフトポジションがパーキング（Ｐ）レンジである旨のシフト信号及び制御信号が発信され、上記ソレノイドバルブ１５から油圧ピストン装置２０の第１油室２０ａ及び第２油室２０ｂには、油圧が供給されない。すると、パーキング装置１は、図２に示すように、カム６がサポート５とパーキングポール４との間に挿入され、該パーキングポール４を上方側に揺動して爪部４ａをパーキングギヤ３と噛合わせることによりパーキング状態が維持されている。
【００３１】
その後、シフトレバーのシフトポジションがパーキング（Ｐ）レンジから、例えばニュートラル（Ｎ）レンジ、ドライブ（Ｄ）レンジ及びリバース（Ｒ）レンジ等にされた場合には、該シフトポジションがパーキング（Ｐ）レンジから他のシフトポジションに移動された旨のシフト信号及び制御信号が発信され、上記ソレノイドバルブ１５から油圧ピストン装置２０の第１油室２０ａ及び第２油室２０ｂに油圧が供給される。すると、パーキング装置１は、ピストン２１が図中右方側に移動し、回動レバー１０がねじりコイルスプリング１１の付勢力に反して図中反時計回り方向に回動される。回動レバー１０が反時計回りに回動されると、パーキングロッド７と共にカム６が図中左方側に移動し、該カム６がサポート５とパーキングポール４との間から離脱され、該パーキングポール４が下方側に揺動して爪部４ａをパーキングギヤ３との噛合いから外される。
【００３２】
さらに、油圧ピストン装置２０の第１油室２０ａ及び第２油室２０ｂに油圧が供給され、ピストン２１が、パーキング状態とされた際の状態から右方側に所定距離移動された場合、図３に示すように、小径ランド部２１ａによって第２供給ポート２２ｅが遮断される。これにより、第２油室２０ｂへの油の供給が停止し、油圧ピストン装置２０に供給する油の量を少なくすることができる。
【００３３】
また、第２供給ポート２２ｅが遮断された後、さらに第１油室２０ａに油圧が供給され、ピストン２１が右方側に移動された場合、図４に示すように、大径ランド部２１ｂによって遮断されていた排出ポート２２ｆが開放され、第２油室２０ｂの油圧がドレーンされる。
【００３４】
そして、さらに第１油室２０ａに油圧が供給され、ピストン２１が右方側に移動されると、図５に示すように、回動レバー１０の切位置当接部１０ｄとケース部１３の先端部１３ａとが当接し、パーキング装置１がパーキング解除状態とされる。また、上記シフトレバーのシフトポジションがパーキング（Ｐ）レンジ以外である際には、例えばニュートラル（Ｎ）レンジからドライブ（Ｄ）レンジに変更されても、ソレノイドバルブ１５から第１油室２０ａに油圧が供給され続け、パーキング装置１のパーキング解除状態が維持される。
【００３５】
このとき、パーキング装置１は、カム６がサポート５とパーキングポール４との間から離脱されるパーキング解除状態にされると共に、切位置当接部１０ｄと先端部１３ａとが当接するので、該パーキング装置１におけるパーキング解除状態となる際の回動レバー１０の位置決めを行うことができる。また、パーキング装置１は、第２油室２０ｂが大径中空部２２ｂに嵌合する大径ランド部２１ｂと小径中空部２２ａに嵌合する小径ランド部２１ａとの間に形成され、大径ランド部２１ｂと小径ランド部２１ａとの受圧面積の差によって、ピストン２１を大きな力で右方側に移動させることができるので、パーキングギヤ３に荷重がかかった状態でも、カム６をサポート５とパーキングポール４との間から離脱させ、つまりパーキング解除状態にすることができる。
【００３６】
また、再びシフトレバーのシフトポジションがパーキング（Ｐ）レンジに変更された場合には、該シフトポジションがパーキング（Ｐ）レンジである旨のシフト信号及び制御信号が発信され、ソレノイドバルブ１５から油圧ピストン装置２０の第１油室２０ａへの油圧の供給が停止する。すると、パーキング装置１は、第１油室２０ａの油圧が低下して行き、上述のように、回動レバー１０がねじりコイルスプリング１１の付勢力により、図中時計回り方向に付勢される。該回動レバー１０が時計回り方向に付勢されると、パーキングロッド７が図中右方側に付勢されると共にカム６も右方側に付勢され、サポート５とパーキングポール４との間に挿入されて、パーキングポール４を上方側に揺動し、爪部４ａをパーキングギヤ３と噛合わせることにより、再びパーキング状態にされる。なお、パーキング解除状態からパーキング状態にされた場合は、上記爪部４ａがパーキングギヤ３の凸部に乗り上げ、パーキングポール４が上方側に揺動しない場合にも、カム６は、コイルスプリング８によって図中右方側に付勢されており、パーキングギヤ３が回転すると爪部４ａが該パーキングギヤ３と噛合うようになっている。
【００３７】
この際、パーキング装置１は、回動レバー１０の入位置当接部１０ｂとバルブボディ１２の突出部１２ａとが当接することにより、パーキング状態の際の回動レバー１０及びカム６等の位置決めを行っている。
【００３８】
以上のように本発明に係る車輌用パーキング装置１によると、パーキング状態の際には、第１油室２０ａ及び第２油室２０ｂに油圧を供給することによりパーキング解除状態となる方向に回動レバー１０を駆動し、パーキング解除状態の際には、第１油室２０ａに油圧を供給することにより該パーキング解除状態を維持するので、パーキングギヤ３に荷重がかかった状態でもパーキング解除状態にできる力を発生できるものでありながら、パーキング解除状態を維持する際には、油の供給を第１油室２０ａだけにすることができ、つまりねじりコイルスプリング１１の付勢力に反して回動レバー１０を止めておけばよいだけの油の供給とすることができて、シリンダ２２内に供給する油の量を少なくすることができる。これにより、ライン圧の安定化を図ることができ、また油圧ピストン装置２０の応答性の向上を図ることができる。
【００３９】
また、第２油室２０ｂが大径中空部２２ｂに嵌合する大径ランド部２１ｂと小径中空部２２ａに嵌合する小径ランド部２１ａとの間に形成されているので、大径ランド部２１ｂと小径ランド部２１ａとの受圧面積の差によって、油が供給された際にパーキングギヤ３に荷重がかかった状態でもパーキング解除状態にできる力を発生させることができる。
【００４０】
また、所定距離以上移動された際に大径ランド部２１ｂに開放されて第２油室２０ｂの油圧を排出する排出ポート２２ｆを備えているので、パーキング解除状態からパーキング状態にする際にも第２油室２０ｂの油圧が抵抗となることがなく、油圧ピストン装置２０の応答性の向上を図ることができる。
【００４１】
なお、本実施の形態に係る車輌用パーキング装置１は、すべてのレンジ切換えを電気信号を介して行うシフトバイワイヤ方式による自動変速機に備えられたもののように説明したが、これに限らず、例えばニュートラル（Ｎ）レンジ、ドライブ（Ｄ）レンジ及びリバース（Ｒ）レンジ等が、シフトレバーとロッドやワイヤによって連結された機構により操作されるものであってもよく、つまり、パーキング装置の入切が、シフトレバーの操作によるシフト信号に基づく油圧ピストン装置の駆動によって動作するものであれば、どのような自動変速機に備えられるものであっても構わない。
【符号の説明】
【００４２】
１        車輌用パーキング装置（パーキング装置）
３        パーキングギヤ
４        パーキングポール
４ａ      爪（爪部）
７        パーキングロッド
１０      回動レバー
１１      付勢部材（ねじりコイルスプリング）
２０      油圧ピストン装置
２０ａ    第１油室
２０ｂ    第２油室
２１      油圧ピストン（ピストン）
２１ａ    小径ランド部
２１ｂ    大径ランド部
２２      シリンダ部材（シリンダ）
２２ａ    小径中空部
２２ｂ    大径中空部
２２ｃ    側壁
２２ｄ    第１供給ポート
２２ｅ    第２供給ポート
２２ｆ    排出ポート
【図１】
2010223328.tif 000003
【図２】
2010223328.tif 000004
【図３】
2010223328.tif 000005
【図４】
2010223328.tif 000006
【図５】
2010223328.tif 000007